(57)【要約】【課題】パチンコ遊技機から遊技球を不正に取り出そうとする不正ハーネス、不正基板、不正センサー等の不正改造部品が施された場合に、この不正改造部品が施されたことを検知する遊技機用不正改造検知装置を提供する。【解決手段】信号短絡回路３は、センサー電圧１が入力され、一時的に短絡された後に開放され、Ａ／Ｄ変換回路５は、短絡開放された電圧Ｓ２が入力され、短絡開放された電圧Ｓ２の最大電圧を所定回数繰り返して測定し、制御回路６は、最大電圧Ｓ３の平均電圧が所定電圧以上等のとき正常と判断し、逆の場合には、異常と判断し、異常表示信号Ｓ４を出力し、前記異常、つまり、不正改造部品が施されたことを表示する。信号入出力部２は、スタートセンサー１からの信号線１４，１５が主基板１２の信号入力部１３から抜かれて接続され、電力出力回路４は、スタートセンサー１に出力電力Ｓ５を出力し、スタートセンサー自身１の内部回路を通過させ、戻ってきた戻り電圧Ｓ６を測定し、異常を判断する。【選択図】                図１
2005013570.tif 000002
【特許請求の範囲】
【請求項１】
パチンコ遊技機を構成する主基板に接続され、前記パチンコ遊技機の電源がオンされときに、ゼロから上昇するセンサー電圧が出力されるスタートセンサーと、
前記センサー電圧が入力される信号入出力部と、
前記センサー電圧が入力され、一時的に短絡された後に開放される信号短絡回路と、
前記短絡開放された電圧が入力され、前記短絡開放された電圧の最大電圧を所定回数繰り返して測定するＡ／Ｄ変換回路と、
前記所定回数繰り返して測定された最大電圧が入力され、前記所定回数繰り返して測定された最大電圧の平均電圧が所定電圧以上で、かつ、前記所定回数繰り返して測定された最大電圧の電圧幅が所定幅未満のときには正常と判断し、
前記所定回数繰り返して測定された最大電圧の平均電圧が前記所定電圧未満、又は、前記所定回数繰り返して測定された最大電圧の前記電圧幅が前記所定幅以上のときには異常、つまり、前記センサー電圧が通過する回路内に第１の不正改造部品が施されているものと判断し、異常表示信号を出力する制御回路と、
前記異常表示信号が入力されることにより前記異常を表示する表示回路と、
前記構成要素に電力を供給する電源回路と、
から成ることを特徴とする遊技機用不正改造検知装置。
【請求項２】
前記スタートセンサーからの信号線が前記パチンコ遊技機を構成する主基板から抜かれて接続される前記信号入出力部と、
前記信号入出力部を介して前記スタートセンサーに出力電力を出力し、前記スタートセンサー自身の内部回路を通過させる電力出力回路と、
前記スタートセンサー自身の内部回路から前記信号入出力部を介して戻ってきた戻り電圧を測定する前記Ａ／Ｄ変換回路と、
前記Ａ／Ｄ変換回路により測定された前記戻り電圧が所定電圧範囲のときには正常と判断し、前記所定電圧範囲外のときには異常、つまり、前記スタートセンサー自身の内部回路に第２の不正改造部品が施されているものと判断し、前記異常表示信号を出力する前記制御回路と、
前記異常表示信号が入力されることにより前記異常を表示する前記表示回路と、を備える請求項１記載の遊技機用不正改造検知装置。
【請求項３】
前記電源回路は電池を備え、全体として小型ケースに収納される請求項１記載の遊技機用不正改造検知装置。
【発明の詳細な説明】
【０００１】
【発明の属する技術分野】
本発明は、パチンコ遊技機から遊技球を不正に取り出そうとする改造が施された場合に、この不正な改造が施されたことを検出する遊技機用不正改造検知装置に関する。
【０００２】
【従来の技術】
従来、例えば、特開２００１−７１５号公報（特許文献１）で、「遊技機の不正改造の検出が可能なセキュリティシステム」が提案されている。
この従来例は、入賞回路全体の入賞検知から入賞通過までの時間を計測し、異常であると判断し、回路不正を判断するシステムである。  より具体的には、入力制御手段が、外部端子への入力信号がノイズ信号も含む入賞検出からノイズ除去後の入賞検出までの時間Ｔａ、ノイズ信号も含む入賞通過からノイズ除去後の入賞通過までの時間Ｔｂ、ノイズ除去後の入賞検出からノイズ信号も含む入賞通過までの時間Ｔｃ及び／又はノイズ除去後の入賞検出からノイズ除去後の入賞通過までの時間Ｔｄを計測し、計測した時間Ｔａ，Ｔｂ，Ｔｃ及び／又はＴｄとユーザーＲＯＭに格納された入賞検知から入賞通過までの時間の上限及び下限データとの比較判定を行い、計測時間Ｔａ，Ｔｂ，Ｔｃ及び／又はＴｄが上限・下限データ範囲内なら正規の入賞と判断し、上限・下限範囲外である場合には正規の入賞ではないと判定する。
【０００３】
【特許文献１】
特開２００１−７１５号公報（図１、請求項１）
【０００４】
【発明が解決しようとする課題】
そこで、本発明は、パチンコ遊技機から遊技球を不正に取り出そうとする不正ハーネス、不正基板、不正センサー等の不正改造部品が施された場合に、この不正改造部品が施されたことを検知する遊技機用不正改造検知装置を提供することを目的とする。
【０００５】
【課題を解決するための手段】
請求項１の本発明は、パチンコ遊技機を構成する主基板に接続され、前記パチンコ遊技機の電源がオンされときに、ゼロから上昇するセンサー電圧が出力されるスタートセンサーと、
前記センサー電圧が入力される信号入出力部と、
前記センサー電圧が入力され、一時的に短絡された後に開放される信号短絡回路と、
前記短絡開放された電圧が入力され、前記短絡開放された電圧の最大電圧を所定回数繰り返して測定するＡ／Ｄ変換回路と、
前記所定回数繰り返して測定された最大電圧が入力され、前記所定回数繰り返して測定された最大電圧の平均電圧が所定電圧以上で、かつ、前記所定回数繰り返して測定された最大電圧の電圧幅が所定幅未満のときには正常と判断し、
前記所定回数繰り返して測定された最大電圧の平均電圧が前記所定電圧未満、又は、前記所定回数繰り返して測定された最大電圧の前記電圧幅が前記所定幅以上のときには異常、つまり、前記センサー電圧が通過する回路内に第１の不正改造部品が施されているものと判断し、異常表示信号を出力する制御回路と、
前記異常表示信号が入力されることにより前記異常を表示する表示回路と、
前記構成要素に電力を供給する電源回路と、
から成ることを特徴とする遊技機用不正改造検知装置である。
【０００６】
請求項２の本発明は、前記スタートセンサーからの信号線が前記パチンコ遊技機を構成する主基板から抜かれて接続される前記信号入出力部と、
前記信号入出力部を介して前記スタートセンサーに出力電力を出力し、前記スタートセンサー自身の内部回路を通過させる電力出力回路と、
前記スタートセンサー自身の内部回路から前記信号入出力部を介して戻ってきた戻り電圧を測定する前記Ａ／Ｄ変換回路と、
前記Ａ／Ｄ変換回路により測定された前記戻り電圧が所定電圧範囲のときには正常と判断し、前記所定電圧範囲外のときには異常、つまり、前記スタートセンサー自身の内部回路に第２の不正改造部品が施されているものと判断し、前記異常表示信号を出力する前記制御回路と、
前記異常表示信号が入力されることにより前記異常を表示する前記表示回路と、を備える請求項１記載の遊技機用不正改造検知装置である。
【０００７】
請求項３の本発明は、前記電源回路は電池を備え、全体として小型ケースに収納される請求項１記載の遊技機用不正改造検知装置である。
【０００８】
請求項１の本発明によれば、図１、図２に示されるように、パチンコ遊技機を構成する主基板１２に信号入力部１３を介して接続されるスタートセンサー１は、パチンコ遊技機の電源がオンされときに、図４に示されるようにゼロから、例えば、約６Ｖに上昇するセンサー電圧Ｓ１が出力される。  信号入出力部２は、センサー電圧Ｓ１が入力される。  信号短絡回路３は、センサー電圧１が入力され、図５に示されるように一時的に短絡された後に開放される回路である。
Ａ／Ｄ変換回路５は、短絡開放された電圧Ｓ２が入力され、短絡開放された電圧Ｓ２の最大電圧を所定回数繰り返して測定する。
図５において、実線の短絡開放された電圧Ｓ２は正常な電圧で、破線の短絡開放された電圧Ｓ２は異常、つまり、センサー電圧Ｓ１が通過する回路内に第１の不正改造部品が施されている状態を示す。
制御回路６は、所定回数繰り返して測定された最大電圧Ｓ３が入力され、所定回数繰り返して測定された最大電圧Ｓ３の平均電圧が所定電圧以上で、かつ、所定回数繰り返して測定された最大電圧Ｓ３の電圧幅が所定幅未満のときには正常と判断する。
さらに、制御回路６は、所定回数繰り返して測定された最大電圧の平均電圧が所定電圧未満、又は、所定回数繰り返して測定された最大電圧の前記電圧幅が前記所定幅以上のときには異常、つまり、センサー電圧Ｓ１が通過する回路内に第１の不正改造部品が施されているものと判断し、異常表示信号Ｓ４を出力する。表示回路９は、異常表示信号Ｓ４が入力されることにより前記異常を表示する。電源回路１１は、電池１０を備え、構成要素に電力を供給する。
【０００９】
請求項２の本発明によれば、図１、図３に示されるように、信号入出力部２は、スタートセンサー１からの信号線１４，１５がパチンコ遊技機を構成する主基板１２の信号入力部１３から抜かれて接続される。
電力出力回路４は、信号入出力部２を介してスタートセンサー１に出力電力Ｓ５を出力し、スタートセンサー１自身の内部回路を通過させる。
Ａ／Ｄ変換回路５は、スタートセンサー１自身の内部回路から信号入出力部２を介して戻ってきた戻り電圧Ｓ６を測定する。
制御回路６は、Ａ／Ｄ変換回路５により測定された戻り電圧Ｓ６が所定電圧範囲のときには正常と判断し、所定電圧範囲外のときには異常、つまり、スタートセンサー１自身の内部回路に第２の不正改造部品が施されているものと判断し、異常表示信号Ｓ７を出力する。
表示回路９は、異常表示信号Ｓ７が入力されることにより前記異常を表示する。
【００１０】
請求項３の本発明によれば、図１に示されるように、電源回路１１は電池１０を備え、全体として図示されない小型ケースに収納され、携帯でき使い勝手が良い。
【００１１】
【発明の実施の形態】
以下、本発明を、図面を参照して、その実施の形態に基づいて説明する。
まず、短絡測定方式の実施の形態について説明する。
図１、図２に示されるように、まず、開始スイッチ７によりオンされる。
次に、パチンコ遊技機を構成する主基板１２に信号入力部１３を介して接続されるスタートセンサー１は、パチンコ遊技機の電源がオンされときに、図４に示されるようにゼロから、例えば、約６Ｖに上昇するセンサー電圧Ｓ１が出力される。  信号入出力部２は、センサー電圧Ｓ１が入力される。  信号短絡回路３は、センサー電圧１が入力され、図５に示されるように一時的に短絡された後に開放される回路である。
Ａ／Ｄ変換回路５は、短絡開放された電圧Ｓ２が入力され、短絡開放された電圧Ｓ２の最大電圧を所定回数繰り返して測定する。
図５において、実線の短絡開放された電圧Ｓ２は正常な電圧で、破線の短絡開放された電圧Ｓ２は異常、つまり、センサー電圧Ｓ１が通過する回路内に第１の不正改造部品が施されている状態を示す。
制御回路６は、所定回数繰り返して測定された最大電圧Ｓ３が入力され、所定回数繰り返して測定された最大電圧Ｓ３の平均電圧が所定電圧、例えば、９Ｖ以上で、かつ、所定回数繰り返して測定された最大電圧Ｓ３の電圧幅が所定幅、例えば、２５０μｓ未満のときには正常と判断する。
さらに、制御回路６は、所定回数繰り返して測定された最大電圧の平均電圧が所定電圧未満、又は、所定回数繰り返して測定された最大電圧の前記電圧幅が前記所定幅以上のときには異常、つまり、センサー電圧Ｓ１が通過する回路内に第１の不正改造部品が施されているものと判断し、異常表示信号Ｓ４を出力する。表示回路９は、異常表示信号Ｓ４が入力されることにより前記異常を表示する。電源回路１１は、電池１０を備え、構成要素に電力を供給する。
【００１２】
次に、電圧測定方式の実施の形態について説明する。  上記の短絡測定方式からのモード切換は、モード切換スイッチ８によりなされる。
図１、図３に示されるように、信号入出力部２は、スタートセンサー１からの信号線１４，１５がパチンコ遊技機を構成する主基板１２の信号入力部１３から抜かれて接続される。
電力出力回路４は、信号入出力部２を介してスタートセンサー１に、例えば、３．０Ｖの出力電力Ｓ５を出力し、スタートセンサー１自身の内部回路を通過させる。
Ａ／Ｄ変換回路５は、スタートセンサー１自身の内部回路から信号入出力部２を介して戻ってきた戻り電圧Ｓ６を測定する。
制御回路６は、Ａ／Ｄ変換回路５により測定された戻り電圧Ｓ６が所定電圧範囲、例えば、１．０Ｖ〜２．０Ｖのときには正常と判断し、所定電圧範囲外のときには異常、つまり、スタートセンサー１自身の内部回路に第２の不正改造部品が施されているものと判断し、異常表示信号Ｓ７を出力する。
表示回路９は、異常表示信号Ｓ７が入力されることにより前記異常を表示する。また、図１に示されるように、電源回路１１は電池１０を備え、全体として図示されない小型ケースに収納され、携帯でき使い勝手が良い。
【発明の効果】
本発明は、以上説明したように、パチンコ遊技機から遊技球を不正に取り出そうとする不正ハーネス、不正基板、不正センサー等の不正改造部品が施された場合に、この不正改造部品が施されたことを検知することができるという効果を奏する。
【図面の簡単な説明】
【図１】本発明の一実施の形態の全体回路構成図である。
【図２】本発明の一実施の形態の部分回路構成図である。
【図３】本発明の一実施の形態の部分回路構成図である。
【図４】本発明の一実施の形態の電圧波形図である。
【図５】本発明の一実施の形態の電圧波形図である。
【符号の説明】
１  スタートセンサー  ２  信号入出力部  ３  信号短絡回路
４  電圧出力回路  ５  Ａ／Ｄ変換回路    ６  制御回路
９  表示回路  １０  電池  １１  電源回路
１２    パチンコ遊技機を構成する主基板    １４，１５  信号線
Ｓ１  センサー電圧    Ｓ２  短絡開放された電圧
Ｓ３  所定回数繰り返して測定された最大電圧
Ｓ４、Ｓ７  異常表示信号    Ｓ５  出力電圧    Ｓ６  戻り電圧
【図１】
2005013570.tif 000003
【図２】
2005013570.tif 000004
【図３】
2005013570.tif 000005
【図４】
2005013570.tif 000006
【図５】
2005013570.tif 000007